(57)【要約】【課題】本発明の課題は、把持感触が良く、且つグリップ部材の回転を防止する筆記具の軸筒を簡単な構造で提供することにある。【解決手段】本発明は、前記課題を解決するために、軸筒本体の把持部に、軟質材からなる内側層と外側層との積層構造からなるグリップ部材を装着してなる筆記具の軸筒であって、前記外側層に貫通孔を形成し、該貫通孔に、面一又は少なくとも一部が露出するように、回り止め部材を配設したことを特徴とする。【選択図】図１
2009045881.tif 000002
【特許請求の範囲】
【請求項１】
軸筒本体の把持部に、軟質材からなる内側層と外側層との積層構造からなるグリップ部材を装着してなる筆記具の軸筒であって、前記外側層に貫通孔を形成し、該貫通孔に、面一又は少なくとも一部が露出するように、回り止め部材を配設したことを特徴とする筆記具の軸筒
【請求項２】
前記回り止め部材が、前記内側層に固着してある特徴とする請求項１に記載の筆記具の軸筒
【請求項３】
前記回り止め部材の底面に位置する前記内側層の厚さが、１ｍｍ以上、５ｍｍ以下であることを特徴とする請求項２に記載の筆記具の軸筒
【請求項４】
前記内側層に、前記外側層の貫通孔より大きい貫通孔又は凹部を形成するとともに、前記外側層及び内側層の貫通孔に、横断面及び／又は縦断面が略Ｔ字状の回り止め部材を配設したことを特徴とする請求項１ないし３の何れか１項に記載の筆記具の軸筒
【請求項５】
前記回り止め部材が、磁石からなる磁気治療具であることを特徴とする請求項１ないし４の何れか１項に筆記具の軸筒
【発明の詳細な説明】
【技術分野】
【０００１】
本発明は、軸筒本体の把持部に、グリップ部材を装着した筆記具の軸筒に関し、さらに詳しくは、軟質材からなる内側層と外側層とを配設した積層構造のグリップ部材を装着してなる筆記具の軸筒に関する。
【背景技術】
【０００２】
従来から、軸筒本体の把持部に、軟質材からなる内側層と外側層とを配設した積層構造のグリップ部材を装着してなる筆記具の軸筒は知られている。
【０００３】
こうした筆記具の軸筒において、特開平８−１９７８８３号公報の「筆記具、塗布具における把持部構造」に、内部に気体又は液体又はゲル状体又はゼリ−状体を封入した変形可能な筒状の把持体を配置してなる筆記具や、特開２０００−３５５１８５号公報の「筆記具のグリップ」に、内側層のショアー硬度がＨｓ（ＪＩＳ  Ａ）５〜３０、外側層のショアー硬度がＨｓ（ＪＩＳ  Ａ）４０以上としてなる筆記具のグリップが開示されている。
【０００４】
【特許文献１】特開平８−１９７８８３号公報
【特許文献２】特開２０００−３５５１８５号公報
【発明の開示】
【発明が解決しようとする課題】
【０００５】
前者の軟質材からなる内側層と外側層とを配設した積層構造のグリップ部材を装着してなる筆記具の軸筒は、グリップ部材を装着するだけでなく、軟質材を積層することで、従来グリップに比べて肉厚を厚くするとともに、膨潤し易い低硬度のグリップ部材を内側層にすることで把持感触を向上させ、筆記時の疲れを軽減するものであるが、内側層と外側層が位置ずれを生じないように、溶着する等をする必要があった。
【０００６】
そのため、使用するグリップ部材の内側層と外側層の材質が限定されてしまったり、消耗する色調が得られない等の問題があった。
【０００７】
本発明の目的は、把持感触が良く、且つグリップ部材の回転を防止する筆記具の軸筒を簡単な構造で提供することにある。
【課題を解決するための手段】
【０００８】
本発明は、軸筒本体の把持部に、軟質材からなる内側層と外側層との積層構造からなるグリップ部材を装着してなる筆記具の軸筒であって、前記外側層に貫通孔を形成し、該貫通孔に、面一又は少なくとも一部が露出するように、回り止め部材を配設したことを特徴とする。
【０００９】
また、前記回り止め部材が、前記内側層に固着してある特徴とする。
【００１０】
更にまた、前記回り止め部材の底面に位置する内側層の厚さが、１ｍｍ以上、５ｍｍ以下であることを特徴とする。
【００１１】
更にまた、内側層に、外側層の貫通孔より大きい貫通孔又は凹部を形成するとともに、前記外側層及び内側層の貫通孔に、横断面及び／又は縦断面が略Ｔ字状の回り止め部材を配設したことを特徴とする。
【００１２】
更にまた、前記回り止め部材が、磁石からなる磁気治療具であることを特徴とする。
【００１３】
本発明の軟質材には、弾性変形可能なシリコーンゴム、天然ゴム、ブチルゴム、フッ素ゴム、塩化ビニル樹脂、ブタジエンゴム、ウレタンゴム、ポリエチレン樹脂、その他合成ゴム、熱可塑性エラストマー等、筆記具のグリップ部材として一般的に知られている弾性体のなかから適宜選定して用いることができる。また、硬度の異なる軟質材は、同一の種類でも異なる種類の軟質材であってもよい。
【発明の効果】
【００１４】
本発明は、把持感触が良く、且つグリップ部材の回転を防止する筆記具の軸筒を簡単な構造で提供することができた。
【発明を実施するための最良の形態】
【００１５】
次に図面を参照しながら、本発明の筆記具の実施例を説明するが、本発明は以下の実施例に限定されるものではない。
【００１６】
実施例１
図１から図３に示す実施例１の筆記具の軸筒１は、先ず、軸筒本体２をエチレンニトリルスチレン樹脂（ＡＳ樹脂）で成形する。軸筒本体２の把持部３は、外径が小径に形成してある。その把持部３にグリップ部材Ｇ１を装着するが、グリップ部材Ｇ１は、予めシリコーンゴムにて、ショアー硬度がＨｓ（ＪＩＳ  Ａ）３０の内側層４と、ショアー硬度がＨｓ（ＪＩＳ  Ａ）７０の外側層５を成形してあり、軸筒本体２の把持部３に内側層４を装着し、その後、外側層５を積層させて被覆してある。
【００１７】
さらにその後、口先部材６の内壁に形成した雌ねじ部７を、軸筒先端に形成した雄ねじ部８に螺着し、口先部材６の後端面６ａが内側層４の先端面及び外側層５の先端面に当接し、軸筒本体２の段部２ａ間に、内側層４及び外側層５を圧縮した状態で保持して筆記具の軸筒１を得る。図示はしていないが、筆記具として使用する場合には、例えば、軸筒内に、先端にボールペンチップを装着したボールペンレフィルを収納する。
【００１８】
内側層４及び外側層５には、貫通孔４ａ、５ａを周方向の４箇所及び軸方向の異なる３箇所に形成してあり、この貫通孔４ａ、５ａに、フェライト磁石からなる磁気治療具からなる回り止め部材９を埋設し、接着によって軸筒本体２に固着してある。軸筒本体２に磁気治療具９を接着することで、内側層４及び外側層５の回転を防止することができる。また、軸筒本体２には、磁気治療具９を固着し易いように平地部を設けてある。
【００１９】
実施例２
図４、図５に示す実施例２の筆記具の軸筒１１は、グリップ部材Ｇ２が、外側層１５に、貫通孔１５ａを周方向の４箇所及び軸方向の異なる３箇所に形成し、この貫通孔１５ａに、フェライト磁石からなる磁気治療具１９を埋設し、磁気治療具かならなる回り止め部材１９の底部を接着によって内側層１４に固着し、口先部材１６の後端面１６ａと軸筒本体１２の段部１２ａ間に圧縮して配設した以外は実施例１と同様にして筆記具の軸筒１１を得ている。
【００２０】
内側層１４に回り止め部材１９を接着することによって、外側層１５の回転を防止することができる。また、内側層１４には、回り止め部材１９を固着し易いように平地部を設けてある。
【００２１】
グリップ部材Ｇ２を把持すると、回り止め部材１９が指に当接するが、軸心方向（図４の矢印Ｆ）への押圧力は、内側層１４が撓むことによって吸収されるため、筆記時の把持感触を向上することができる。
【００２２】
また、水分や油分を吸収し、膨潤し易い硬度の低い、例えば、ショアー硬度がＨｓ４０未満の軟質材を内側層１４とすることで、手や指等が直接触れることがなく、膨潤する恐れがなく、可撓性の向上も大きく、筆記時の把持感触をより向上することができるので好ましい。
【００２３】
更にまた、外側層１５の厚さは特に限定されるものではないが、３ｍｍ未満では変形や破れやすく、被覆もしにくい。また、密着状態になったときに、元の状態に戻りにくい。また、内側層１４に対応する外側層１５の平均厚さが５ｍｍを越えると、内側層１４の影響を受けにくくなるので、内側層１４に対応する外側層１５の平均厚さを１ｍｍ以上、５ｍｍ以下、好ましくは３ｍｍ以上とすることが望ましい。尚、内側層１４に対応する外側層１５の平均厚さとは、内側層４と外側層１５が積層構造となっている外側層１５の肉厚の平均値を示すものである。
【００２４】
また、回り止め部材１９の底面１９ａに位置する内側層４の厚さは、１ｍｍ未満では、押圧力を吸収し難く、平均厚さが５ｍｍを越えると、グリップ全体の外径が大きくなるため、１ｍｍ以上、５ｍｍ以下、好ましくは３ｍｍ以上とすることが望ましい。
【００２５】
実施例３
図６、図７に示す実施例１の筆記具の軸筒２１は、グリップ部材Ｇ３が、外側層２５に、貫通孔２５ａを周方向の４箇所及び軸方向の異なる３箇所に形成し、内側層２４に、外側層２５の貫通孔２５ａより軸方向のみ大きい凹部２４ａを外側層２５の貫通孔２５ａに対向した位置に形成し、この外側層２５の貫通孔２５ａ及び内側層２４の凹部２４ａに、それぞれの貫通孔及び凹部と略同形の縦断面が略Ｔ字状のフェライト磁石からなる磁気治療具かならなる回り止め部材２９を埋設し、口先部材２６の後端面２６ａと軸筒本体２２の段部１２ａ間に圧縮して配設した以外は実施例１と同様にして筆記具の軸筒２１を得ている。
【００２６】
内側層２４に、外側層２５の貫通孔２５ａより大きい凹部２４ａを形成し、縦断面が略Ｔ字状の回り止め部材２９を配設することで、回り止め部材２９を固着しない状態であっても、回り止め部材２９が外側層２５側から外れることがないため好ましい。
【００２７】
また、実施例３では、便宜上、内側層２４に凹部２４ａを形成し、この凹部２４ａに回り止め部材２９の底部を埋設してあるが、図示はしていないが、内側層に貫通孔を形成してもよいが、内側層によって可撓性を向上させることが最も好ましい。また、内側層に設ける貫通孔又は凹部は、円周方向及び／または軸方向等、外側層の貫通孔より大きい形状であれば特に限定されるものではなく、一体に形成又は二個以上の回り止め部材を連設して形成してあってもよい。
【００２８】
また、予め成形した内側層及び外側層を、内側層を軸筒本体の把持部に装着した後、外側層を被覆してあるが、内側層は軸筒本体と２色成形に形成してもよい。更にまた、内側層に外側層を被覆した後に、内側層の外壁及び外側層の内壁に影響のないように接着や融合しても構わないが、例えば、使用者の好みの硬度や磁化の強さの異なる他の磁気治療具を装着した外側層に変更できるので、外側層を内側層及び軸筒本体に対し着脱自在に被覆するほうが好ましい。
【００２９】
更にまた、回り止め部材は、外側層の貫通孔に、面一又は少なくとも一部が露出するように配設してあれば、配設方法は特に限定されないが、接着や嵌合等によって、軸筒本体又は内側層に固着することによって、外側層の回り止め効果が向上するので好ましい。また、実施例のように、一部が露出させて配設することによって、指や手のひらを刺激し、机等に筆記具の軸筒を置いた時の転がり防止用の突起になるので、露出させることが好ましい。
【００３０】
尚、回り止め部材の材質は特に限定されるものではないが、磁石かならなる磁気治療具を配設することによって、疲れを癒すために好ましい。また、磁気治療具に用いる磁石には、希土類磁石、アルニコ磁石等が例示できるが、やさまざまな形状、特に緩やかな稜９ｂを作れることからフェライト磁石を用いることが最も好ましい。また、本発明に用いる磁石の磁化の強さは４０〜２００ミリテスラ、好ましくは５０〜１００ミリテスラが望ましい。
【産業上の利用可能性】
【００３１】
本発明の筆記具の軸筒は、筆記体の種類やノック式、キャップ式に限定されることなく、把持部に軟質材を装着してなる筆記具の軸筒に広く実施可能である。
【図面の簡単な説明】
【００３２】
【図１】実施例１の筆記具の軸筒を示す、一部省略した要部縦断面図である。
【図２】図１における回り止め部材を装着前の状態を示す図である。
【図３】図１におけるＡ−Ａ断面図。
【図４】実施例２の筆記具の軸筒を示す、一部省略した要部縦断面図である。
【図５】図４におけるＢ−Ｂ断面図。
【図６】実施例３の筆記具の軸筒を示す、一部省略した要部縦断面図である。
【図７】図６におけるＣ−Ｃ断面図。
【符号の説明】
【００３３】
１、１１、２１  筆記具の軸筒
２  軸筒本体
３  把持部
４、１４、２４  内側層
４ａ  貫通孔
２４ａ  凹部
５、１５、２５  外側層
５ａ、１５ａ、２５ａ  貫通孔
６  口先部材
６ａ  後端面
７  雄ねじ部
８  雌ねじ部
９、１９、２９  回り止め部材
９ａ  底面
９ｂ  稜
Ｇ、Ｇ２、Ｇ３  グリップ部材
【図１】
2009045881.tif 000003
【図２】
2009045881.tif 000004
【図３】
2009045881.tif 000005
【図４】
2009045881.tif 000006
【図５】
2009045881.tif 000007
【図６】
2009045881.tif 000008
【図７】
2009045881.tif 000009